(57)【要約】    【課題】  歯列矯正の治療の初期段階では細い歯列矯正ワイヤを摺動させ易くし、治療の最終段階に近づくにつれ用いられる太い歯列矯正ワイヤを過不足なくブラケットスロットに嵌めて結紮線で確りと繋留させる、簡素な構造の歯列矯正ブラケットを提供する。    【解決手段】  歯列矯正ブラケット１は、歯列矯正ワイヤ１１で繋がれる歯列の各歯牙１０へ下面で接着される基板５上に、曲折した少なくとも２つのタイウィング２と、それに挟まれて形成された歯列矯正ワイヤ嵌込用ブラケットスロット３とを有し、ブラケットスロット３を跨ぎつつタイウィング２の曲折した内側部位同士に歯列矯正ワイヤの繋留用の結紮線１２が架け渡される歯列矯正ブラケットにおいて、歯列矯正ワイヤ１１をレベリングワイヤとしそれの繋留用の結紮線１２を持上げる突起４が、内側部位よりも高くてブラケットスロット３の上端よりも低い位置で、タイウィング２の近遠心側に、付設されている。【選択図】          図１
2005323721.tif 000002
【特許請求の範囲】
【請求項１】
歯列矯正ワイヤで繋がれる歯列の各歯牙へ下面で接着される基板上に、曲折した少なくとも２つのタイウィングと、それに挟まれて形成された歯列矯正ワイヤ嵌込用ブラケットスロットとを有し、該ブラケットスロットを跨ぎつつ該タイウィングの該曲折した内側部位同士に該歯列矯正ワイヤの繋留用の結紮線が架け渡される歯列矯正ブラケットにおいて、該歯列矯正ワイヤをレベリングワイヤとしそれの繋留用の該結紮線を持上げる突起が、該内側部位よりも高くて該ブラケットスロットの上端よりも低い位置で、該タイウィングの近遠心側に、付設されていることを特徴とする歯列矯正ブラケット。
【請求項２】
前記突起が、該基板上に設けられてそれに向かって末広がりの斜面、該タイウィングから突き出たピン、又は該基板上に立設された角柱であることを特徴とする請求項１に記載の歯列矯正ブラケット。
【請求項３】
前記突起が、前記ブラケットスロットの底から前記レベリングワイヤの直径以上高い位置に設けられていることを特徴とする請求項１に記載の歯列矯正ブラケット。
【請求項４】
前記レベリングワイヤの直径が０．２〜０．４ｍｍであることを特徴とする請求項３に記載の歯列矯正ブラケット。
【発明の詳細な説明】
【技術分野】
【０００１】
本発明は、歯列の不揃いを矯正するために歯牙に装着される歯列矯正ブラケットに関するものである。
【背景技術】
【０００２】
歯列矯正は、歯並びの矯正や口元の審美性の向上、および健全で機能的な噛合わせの達成のために施術される歯科治療である。歯列矯正は、通常１〜３年の長期間にわたって、歯牙へ接着しているブラケットを介して、歯列の各歯牙に繋がる歯列矯正ワイヤの弾力を歯牙の適切な方向にかけ続けることにより、理想的な位置で適切な傾きとなるように歯牙を移動させるというものである。
【０００３】
このブラケットは、その中央に設けられたブラケットスロットへ歯列矯正ワイヤを嵌めて結紮線により緊締し、歯列矯正ワイヤの弾力を歯牙に伝達するためのものである。治療の初期段階では、歯列矯正ワイヤとしてブラケットスロットの幅や深さよりも相当細くて断面が丸いレベリングワイヤを用いて、大まかな歯牙の移動が施される。歯列矯正ワイヤとして、治療の最終段階に向かうにつれ段階的に太いものを用い、最終段階でブラケットスロットにほぼ嵌まる断面が四角のものを用い、歯牙の前後左右上下の位置や傾きの微調整や固定が施される。
【０００４】
従来のブラケットは、結紮線により歯列矯正ワイヤを緊締して繋留し強く抑えつけているものであった。そのためそれらの摩擦が過剰となって、治療の初期段階で歯牙を移動させるのに必要なブラケットスロット内でのレベリングワイヤの適度な摺動が妨げられる結果、歯牙の移動が非効率で不充分となり、治療が長期化していた。
【０００５】
それを改善するブラケットとして例えば特許文献１に、歯列矯正ワイヤを受容するスロットの形成面に回転体を埋設して摺動性を向上させたものが開示されている。
【０００６】
【特許文献１】特開２００３−１８０７１２号公報
【０００７】
ブラケットは、治療の初期段階で歯列矯正ワイヤが摺動し易いことが好ましく、最終段階で歯牙の微調整をして十分に固定するために歯列矯正ワイヤが過不足なくブラケットスロットに嵌まって結紮線で確りと繋留されるものであることが望まれる。
【０００８】
さらにブラケットは、小型であり複雑な構造のものを量産するのが困難であるため、回転体のような複雑な部材を有しない簡素な構造であって、生産効率が高いものが求められている。
【発明の開示】
【発明が解決しようとする課題】
【０００９】
本発明は前記の課題を解決するためになされたもので、歯列矯正の治療の初期段階で細い歯列矯正ワイヤを摺動させ易くし、治療の最終段階に近づくにつれ用いられる太い歯列矯正ワイヤを過不足なくブラケットスロットに嵌めて結紮線で確りと繋留させる、簡素な構造の歯列矯正ブラケットを提供することを目的とする。
【課題を解決するための手段】
【００１０】
前記の目的を達成するためになされた、特許請求の範囲の請求項１に記載の発明は、歯列矯正ワイヤで繋がれる歯列の各歯牙へ下面で接着される基板上に、曲折した少なくとも２つのタイウィングと、それに挟まれて形成された歯列矯正ワイヤ嵌込用ブラケットスロットとを有し、該ブラケットスロットを跨ぎつつ該タイウィングの該曲折した内側部位同士に該歯列矯正ワイヤの繋留用の結紮線が架け渡される歯列矯正ブラケットにおいて、該歯列矯正ワイヤをレベリングワイヤとしそれの繋留用の該結紮線を持上げる突起が、該内側部位よりも高くて該ブラケットスロットの上端よりも低い位置で、該タイウィングの近遠心側に、付設されていることを特徴とする歯列矯正ブラケットである。
【００１１】
この突起が結紮線を持ち上げることにより、結紮線と該歯列矯正ワイヤ特に治療の初期段階で用いられるレベリングワイヤとの摩擦が極めて小さくなる結果、レベリングワイヤが摺動し易くなる。一方治療の初期段階以降、レベリングワイヤよりも順次太くして用いられる歯列矯正ワイヤが、結紮線を持ち上げ、その摩擦によって摺動し難くなるとともに、確りと繋留される。
【００１２】
同じく請求項２に記載の発明は、前記突起が、該基板上に設けられてそれに向かって末広がりの斜面、該タイウィングから突き出たピン、又は該基板上に立設された角柱であることを特徴とする請求項１に記載の歯列矯正ブラケットである。
【００１３】
同じく請求項３に記載の発明は、前記突起が、前記ブラケットスロットの底から前記レベリングワイヤの直径以上高い位置に設けられていることを特徴とする請求項１に記載の歯列矯正ブラケットである。
【００１４】
同じく請求項４に記載の発明は、前記レベリングワイヤの直径が０．２〜０．４ｍｍであることを特徴とする請求項３に記載の歯列矯正ブラケットである。
【発明の効果】
【００１５】
本発明の歯列矯正ブラケットを用いると、歯列矯正の治療の初期段階で歯列矯正ワイヤとして用いられる細いレベリングワイヤが摺動し易くなるので、大まかな歯牙の移動が効率よくスムーズに施される。また、治療の最終段階に近づくにつれ用いられる太い歯列矯正ワイヤが過不足なくブラケットスロットに嵌められて結紮線で確りと繋留されるので、確実に適切な所望位置で歯牙が固定される。さらにこの歯列矯正ブラケットは、簡便な構造であり、生産効率が高い。
【発明を実施するための最良の形態】
【００１６】
以下、本発明の実施例を詳細に説明するが、本発明の範囲はこれらの実施例に限定されるものではない。
【００１７】
本発明の歯列矯正ブラケットについて、実施例に対応する図１を参照しながら説明する。図１は、歯列矯正ブラケットの実施の一例を示す斜視図である。
【００１８】
歯列矯正ブラケット１は、下面側で歯牙１０へ接着される基板５上に、２対のタイウィング２が対称に突き出している。タイウィング２は、根元で曲折し、各対の先端が夫々、歯牙１０の歯冠１０ａ側と歯頸１０ｂ側とに向く。各対のタイウィング２同士に挟まれて、歯列矯正ワイヤ１１を嵌込むためのブラケットスロット３が、形成されている。ブラケットスロット３は、溝状であって、それに嵌められる歯列矯正ワイヤの軸心方向と垂直な溝断面の溝深さ０．６〜０．８ｍｍ例えば０．０２５インチ（約０．６４ｍｍ）で、その溝断面の溝幅０．３〜０．５ｍｍ例えば０．０１８インチ（約０．４６ｍｍ）である。
【００１９】
タイウィング２の根元には、このタイウィング２の対同士の非対向面側、即ちそれの近心側と遠心側とに夫々、突起４が、付設されている。突起４は、歯列矯正ワイヤ１１側が平坦で、その反対側が湾曲した斜面となっており、基板５に向かって末広がりとなった、銀杏切形の柱状である。突起４の上端は、ブラケットスロット３の底から０．２〜０．４ｍｍ例えば０．０１６インチ（約０．４１ｍｍ）の高さに対応する位置にまで達している。歯列矯正ワイヤ１１のうち治療の初期段階で用いられるレベリングワイヤは、例えば直径が０．０１０〜０．０１６インチ（約０．２５〜０．４１ｍｍ）のものである。
【００２０】
この突起４は、タイウィング２の端から歯列矯正ワイヤ１１の軸心方向即ち歯牙の移動の近遠心方向に向いて０．４ｍｍ程度の厚みをもっていると、結紮線１２が滑り落ちたり緩んだりしないので、好ましい。この突起４は、基板５に向かって末広がりの斜面を有していると、この斜面に沿って結紮線１２が、弛むことなく締上げられて、緊締される。
【００２１】
このように、歯列矯正ワイヤ１１側へ向いた突起４の平坦な面がブラケットスロット３の側壁面と同一平面であると、この突起４の平坦な面は、あたかもブラケットスロット３の側壁面が広がったかのように、その一部として機能する。その結果、ブラケットスロット３の側壁面の幅よりもこの突起４の平坦な面の分だけ幅が長くなるので、歯列矯正ワイヤ１１が、この側壁面と突起４の平坦な面とを介して歯牙１０に対し作用し易くなって、歯牙の傾斜の改善が容易になる。
【００２２】
なお、歯列矯正ブラケット１の突起４として、図１に示すように基板に向かって末広がりで銀杏切形の柱状のものを例に説明したが、突起４の形状は特に限定されるものではない。
【００２３】
突起４は、図２に示すとおり、ブラケットスロット３の壁面より後退して歯列矯正ワイヤ（不図示）と接しないように、付設されていてもよい。この突起４は、歯列矯正ワイヤ１１との摩擦を生じさせない。
【００２４】
突起４は、図３に示すように基板に向かって末広がりであって、釣鐘状のものを縦に４分割した形状で、その分割面が歯列矯正ワイヤ（不図示）側に向いているのものであってもよい。この突起４は、結紮線１２を締上げたときに弛みを生じさせない。突起４は、図４に示すように同形状で、その湾曲面が歯列矯正ワイヤ（不図示）側に向いているものであってもよい。この突起４は、結紮線１２を締上げたときに弛みを生じさせないうえ、歯列矯正ワイヤと突起４とが接触しないのでその摩擦を生じさせない。
【００２５】
突起４は、図５に示すように該ワイヤの軸心方向と平行に向いて該タイウィングから各々突き出ているピンであってもよい。
【００２６】
突起４は、図６に示すように基板上に立設された角柱であってもよい。
【００２７】
突起４は、それらを組み合わせた形状であってもよい。
【００２８】
また、歯列矯正ブラケット１として、図１〜図６のようにタイウィング２の２対と突起４とを有するツインブラケットの例を示したが、図７に示すようにタイウィング２の１対と突起４とを有するシングルブラケットであってもよく、図８に示すようにタイウィング２の３つと突起４とを有するトリプルウィングブラケットであってもよい。
【００２９】
歯列矯正ブラケット１の材質は特に限定されないが、ステンレスやチタンのような金属製、透明な強化樹脂のようなプラスチック製、セラミックス製であることが好ましい。
【００３０】
歯列矯正ブラケット１は、例えば切削、鋳造、圧縮成形・射出成形・注形成形のような方法により作製される。
【００３１】
この歯列矯正ブラケット１は、以下のようにして使用される。
【００３２】
図９は、治療の過程が示されている。
【００３３】
歯列矯正ブラケット１は、ブラケットスロット３がその断面の溝深さ０．０２５インチ（約０．６４ｍｍ）で溝幅０．０１８インチ（約０．４６ｍｍ）であり、突起４の上端がブラケットスロット３の底から０．０１６インチ（約０．４１ｍｍ）の高さに対応する位置にまで達しているものを用いる。
【００３４】
治療の初期段階を示す同図（Ａ）のように、矯正すべき歯列に繋がれる歯列矯正ワイヤ１１として、治療の初期段階で歯牙の大まかな移動のために用いられる例えば直径０．０１０インチ（約０．２５ｍｍ）でその断面を丸とするニッケル−チタン合金製のレベリングワイヤ１１ａが、ブラケットスロット３に嵌め込まれる。結紮線１２が、夫々の突起４の上端に載せられつつブラケットスロット３を跨ぎタイウィング２の根元同士に架け渡される。結紮線１２は、末端同士が捻じられて、緊締される。このとき結紮線１２が、突起４によって持上げられる結果、結紮線１２とレベリングワイヤ１１ａとの間に遊びが生じ、摩擦を殆んど生じさせない。そのためレベリングワイヤ１１ａは、ブラケットスロット３内で摺動可能となっている。
【００３５】
同様にして矯正すべき歯牙の数の歯列矯正ブラケットが一連に繋がれ、歯牙に装着される（図１参照）。
【００３６】
治療の中期段階で、歯列矯正ワイヤ１１として、レベリングワイヤ１１ａに代え、それより太い直径０．０１４インチ（約０．３６ｍｍ）のニッケル−チタン合金製、または直径０．０１６インチ（約０．４１ｍｍ）のニッケル−チタン合金製あるいはチタン−モリブデン合金（ＴＭＡ）製の歯列矯正ワイヤ１１ｂに付け替える。直径０．０１６インチの歯列矯正ワイヤ１１ｂであるとき、同図（Ｂ）のように、突起４の上端と歯列矯正ワイヤ１１ｂとが同じ高さに位置しているため、歯列矯正ワイヤ１１ｂと結紮線１２とは接しているが、その摩擦が殆んど無い状態となっている。
【００３７】
治療の後期段階で、同図（Ｃ）のように、歯列矯正ワイヤ１１として、丸いワイヤ１１ｂに代え、それより太く断面が正方形でその各辺共に０．０１７５インチ（約０．４４ｍｍ）のニッケル−チタン合金製またはチタン−モリブデン合金（ＴＭＡ）製の歯列矯正ワイヤ１１ｃに付け替える。このとき、一層太い歯列矯正ワイヤ１１ｃの上面で結紮線１２を持上げている。そのため、結紮線１２はもはや突起４と接触しなくなるとともに、歯列矯正ワイヤ１１ｃをブラケットスロット３の底に強く抑えつけている。歯列矯正ワイヤ１１ｃは、ブラケットスロット３に嵌まって結紮線で確りと繋留される。
【００３８】
治療の最終段階で、同図（Ｄ）のように、歯列矯正ワイヤ１１として、ワイヤ１１ｃに代え、それより太く断面が四角であって長辺がブラケットスロットの溝深さに相当する０．０２５インチ（約０．６４ｍｍ）で短辺がブラケットスロットの溝幅に相当する０．０１８インチ（約０．４６ｍｍ）でありブラケットスロット３に隙間なく嵌まっているステンレススチール（Ｓ．Ｓ．）製またはチタン−モリブデン合金（ＴＭＡ）製の歯列矯正ワイヤ１１ｄに付け替える。このとき、歯列矯正ワイヤ１１ｄは、その上面で結紮線１２を持上げ、その反動で一層確りと繋留されている。歯列矯正ワイヤ１１ｄは、ブラケットスロット３内でほぼ隙間ない程度でブラケットスロットに過不足なく嵌まって確りと繋留されているので、歯牙の前後左右上下の位置や傾きの微調整や固定を確実に達成する。
【００３９】
なお、治療の中期段階以降、役目を終えた突起４を切削してもよい。
【産業上の利用可能性】
【００４０】
本発明の歯列矯正ブラケットは、一般的に施術されている種々の方法による歯列矯正に使用できる。
【図面の簡単な説明】
【００４１】
【図１】本発明を適用する歯列矯正ブラケットの実施の一例である突起を有するツインブラケットの斜視図である。
【００４２】
【図２】本発明を適用する歯列矯正ブラケットの実施の一例である別な形状の突起を有するツインブラケットの斜視図である。
【００４３】
【図３】本発明を適用する歯列矯正ブラケットの実施の一例である別な形状の突起を有するツインブラケットの斜視図である。
【００４４】
【図４】本発明を適用する歯列矯正ブラケットの実施の一例である別な形状の突起を有するツインブラケットの斜視図である。
【００４５】
【図５】本発明を適用する歯列矯正ブラケットの実施の一例である別な形状の突起を有するツインブラケットの斜視図である。
【００４６】
【図６】本発明を適用する歯列矯正ブラケットの実施の一例である別な形状の突起を有するツインブラケットの斜視図である。
【００４７】
【図７】本発明を適用する歯列矯正ブラケットの実施の一例である突起を有するシングルブラケットの斜視図である。
【００４８】
【図８】本発明を適用する歯列矯正ブラケットの実施の一例である突起を有するトリプルウィングブラケットの斜視図である。
【００４９】
【図９】本発明を適用する歯列矯正ブラケットを用いた治療の過程を模式的に示す歯列矯正ブラケットの側面図である。
【符号の説明】
【００５０】
１は歯列矯正ブラケット、２はタイウィング、３はブラケットスロット、４は突起、５は基板、１０は歯牙、１０ａは歯牙の歯冠、１０ｂは歯牙の歯頸、１１・１１ａ・１１ｂ・１１ｃ・１１ｄは歯列矯正ワイヤ、１２は結紮線である。
【図１】
2005323721.tif 000003
【図２】
2005323721.tif 000004
【図３】
2005323721.tif 000005
【図４】
2005323721.tif 000006
【図５】
2005323721.tif 000007
【図６】
2005323721.tif 000008
【図７】
2005323721.tif 000009
【図８】
2005323721.tif 000010
【図９】
2005323721.tif 000011